(57)【要約】【課題】ランニングマシーンのランニングベルトアンダーボード構造の提供。【解決手段】アンダーボードの上表面には複数の陥没部を設置し、該陥没部内には潤滑油／剤を充填し、該アンダーボードはランニングマシーンのランニングベルトの下面に設置された後、該アンダーボードの上面と該ランニングベルトの下面は接触し、該ランニングベルトと該ランニングベルト上の人体重量を支える。同時に該潤滑油／剤を利用し該アンダーボードと該ランニングベルト間の媒介とし、こうして該アンダーボードと該ランニングベルト間の摩擦力を低下させ、これによりランニングベルトとアンダーボードが急速に摩損することを防止し、その使用寿命を延ばすことができる。この他、該アンダーボード上には複数の凸リブを設置することができ、これにより走行者の足裏に対してマッサージの保健作用を提供することもできる。【選択図】図３
0003139509.tif 000002
【実用新案登録請求の範囲】
【請求項１】
ランニングマシーンのランニングベルトアンダーボード構造のアンダーボードはランニングマシーンのランニングベルトの下面に設置し、
該アンダーボードの上面と該ランニングベルトの下面は接触するため、該ランニングベルトを支え、及び該ランニングベルト上に作用する重量を支え、
該アンダーボードの上面には複数の陥没部を設置し、該陥没部内には潤滑油／剤を充填し、該潤滑油／剤は該アンダーボードと該ランニングベルト間の媒介の役割を果たすことを特徴とするランニングマシーンのランニングベルトアンダーボード構造。
【請求項２】
前記陥没部は複数個の円凹孔であることを特徴とする請求項１記載のランニングマシーンのランニングベルトアンダーボード構造。
【請求項３】
前記陥没部は複数の縦長凹槽であることを特徴とする請求項１記載のランニングマシーンのランニングベルトアンダーボード構造。
【請求項４】
前記陥没部は複数の横長凹槽であることを特徴とする請求項１記載のランニングマシーンのランニングベルトアンダーボード構造。
【請求項５】
前記陥没部は複数の斜向凹槽であることを特徴とする請求項１記載のランニングマシーンのランニングベルトアンダーボード構造。
【請求項６】
前記陥没部は複数のＶ型凹槽であることを特徴とする請求項１記載のランニングマシーンのランニングベルトアンダーボード構造。
【請求項７】
前記陥没部は複数の短凹槽であることを特徴とする請求項１記載のランニングマシーンのランニングベルトアンダーボード構造。
【請求項８】
前記複数の短凹槽は該アンダーボードの縦方向において交差排列することを特徴とする請求項７記載のランニングマシーンのランニングベルトアンダーボード構造。
【請求項９】
前記アンダーボードの上表面には複数の凸リブを設置することを特徴とする請求項１記載のランニングマシーンのランニングベルトアンダーボード構造。
【考案の詳細な説明】
【技術分野】
【０００１】
本考案は一種のランニングマシーンのランニングベルトアンダーボード構造に関する。特に一種のランニングマシーン上に設置し、ランニングベルトと人体の重量を支えるアンダーボード構造に係る。
【背景技術】
【０００２】
ランニングマシーンは室内に置き、屋外で運動することができない、或いは時間がない人達に随時ランニング運動を提供することができる機械である。図１、図２は公知のランニングマシーンの構造を示す。該公知のランニングマシーンは底台上に設置するランニングベルト２を含み、該ランニングベルト２は高い強度、高い弾力性を備えるフレキシブル材料により製造する。しかも、ループ形態を呈し、主動ベルトホイール３と受動ベルトホイール４間に巻き付け設置する。該主動ベルトホイール３はモーターの制御を受け回転し、これによりランニングベルト２を連動し継続的な循環転動を行わせる。該ランニングベルト２の上を運動者は足で踏むため、該ランニングベルト２の下面には十分な強度を備えたアンダーボード１を設置する必要がある。運動者の足が該ランニングベルト２上においてランニングし、該ランニングベルト２を沈ませる時、該アンダーボード１により支える。
【０００３】
該ランニングベルト２は該アンダーボード１上において絶えず循環移動するため、ランニングベルトの下面とアンダーボードの上面には摩擦が発生する。さらに、ランニング者がランニングベルト上に加える重量は、その摩擦力をより大きくする。よって、ランニングベルトとアンダーボードの急速な摩損を避けるため、公知のランニングマシーンアンダーボードはすべてその上表面を滑らかな鏡面に加工し、ランニングベルトとアンダーボード間の摩擦係数を最低まで低下させようとしている。
【考案の開示】
【考案が解決しようとする課題】
【０００４】
公知のランニングマシーンのアンダーボード上面を鏡面に加工することで、摩擦係数を低下させることはできるが、この基礎においてさらにアンダーボードとランニングベルト間の摩擦係数をさらに低下させることはできないため、公知のランニングマシーンのランニングベルトとアンダーボードはさらに寿命を延長させることができない。しかもアンダーボードとランニングベルトの接触面積は比較的大きいため、モーターの負荷も比較的高く、電力を浪費し、しかもランニングベルトの運転時にも比較的大きな騒音を発生する。よって、本考案が解決しようとする主要な課題は、公知ランニングマシーンアンダーボードの上面が平面であることに存在する問題を解決する。
【０００５】
上記課題を解決するため、本考案は下記のランニングマシーンのランニングベルトアンダーボード構造を提供する。
それはアンダーボードの上表面には複数の凹孔或いは凹槽を設置し、該各凹孔或いは凹槽を利用し潤滑油或いは潤滑剤を保存し、これによりランニングベルトがアンダーボードの上面において循環移動する時、潤滑油或いは潤滑剤はアンダーボードとランニングベルト間の潤滑媒介となり、こうしてアンダーボードとランニングベルト間の摩擦係数を低下させ、ランニングベルトが急速に摩損することを回避し、ランニングベルトの使用寿命を延ばすことができ、
該アンダーボードはその上表面に複数の凹孔或いは凹槽を設置する他に、該上表面は滑らかな鏡面に加工され、こうしてその相補相乗により摩擦係数をより低下させることができ、
該アンダーボード上に設置される凹孔は円凹孔とすることができ、該凹孔は他のあらゆる形状に成型することができ、
該アンダーボード上に設置される凹槽は該アンダーボード長さ方向に沿って延伸する縦長凹槽とすることができ、該アンダーボード横幅方向に沿った横長凹槽とすることができ、斜向凹槽とすることができ、Ｖ型凹槽とすることができ、短凹槽とすることができ、
前記のアンダーボード構造により、ランニングベルトとアンダーボードの摩損までの時間を延長することができ、使用寿命を延ばすことができる他、ランニングベルト転動の騒音を低下させることができ、またアンダーボードとランニングベルトの接触面積を減少させ、モーターの負荷を低下させ、節電効果を獲得することができ、
さらに該アンダーボードの表面に複数の凸リブを形成することができ、これにより走行者の足裏がランニングベルト上を踏む時、該凸リブの作用により足裏マッサージの効果を生じることもできる。
【課題を解決するための手段】
【０００６】
請求項１の考案は、ランニングマシーンのランニングベルトアンダーボード構造のアンダーボードはランニングマシーンのランニングベルトの下面に設置し、
該アンダーボードの上面と該ランニングベルトの下面は接触するため、該ランニングベルトを支え、及び該ランニングベルト上に作用する重量を支え、
該アンダーボードの上面には複数の陥没部を設置し、該陥没部内には潤滑油／剤を充填し、該潤滑油／剤は該アンダーボードと該ランニングベルト間の媒介の役割を果たすことを特徴とするランニングマシーンのランニングベルトアンダーボード構造としている。
請求項２の考案は、前記陥没部は複数個の円凹孔であることを特徴とする請求項１記載のランニングマシーンのランニングベルトアンダーボード構造としている。
請求項３の考案は、前記陥没部は複数の縦長凹槽であることを特徴とする請求項１記載のランニングマシーンのランニングベルトアンダーボード構造としている。
請求項４の考案は、前記陥没部は複数の横長凹槽であることを特徴とする請求項１記載のランニングマシーンのランニングベルトアンダーボード構造としている。
請求項５の考案は、前記陥没部は複数の斜向凹槽であることを特徴とする請求項１記載のランニングマシーンのランニングベルトアンダーボード構造としている。
請求項６の考案は、前記陥没部は複数のＶ型凹槽であることを特徴とする請求項１記載のランニングマシーンのランニングベルトアンダーボード構造としている。
請求項７の考案は、前記陥没部は複数の短凹槽であることを特徴とする請求項１記載のランニングマシーンのランニングベルトアンダーボード構造としている。
請求項８の考案は、前記複数の短凹槽は該アンダーボードの縦方向において交差排列することを特徴とする請求項７記載のランニングマシーンのランニングベルトアンダーボード構造としている。
請求項９の考案は、前記アンダーボードの上表面には複数の凸リブを設置することを特徴とする請求項１記載のランニングマシーンのランニングベルトアンダーボード構造としている。
【考案の効果】
【０００７】
上記のように、本考案はランニングベルトとアンダーボードの摩損までの時間を延長することができ、使用寿命を延ばすことができる他、ランニングベルト転動の騒音を低下させることができ、またアンダーボードとランニングベルトの接触面積を減少させ、モーターの負荷を低下させ、節電効果を獲得することができる。さらにアンダーボードの表面に複数の凸リブを形成することができ、これにより走行者の足裏がランニングベルト上を踏む時、該凸リブの作用により足裏マッサージの効果を生じることもできる。
【考案を実施するための最良の形態】
【０００８】
図３に示すように、本考案が提供するランニングマシーンに使用するアンダーボード１はランニングマシーンのランニングベルト２の下面に設置される。該アンダーボード１の上面と該ランニングベルト２の下面は接触するため、ランニングベルトを支え、該ランニングベルト上に作用する人体の重量を支える。本考案の特徴は該アンダーボード１の上表面に複数の陥没部を設置し、使用者は潤滑油或いは潤滑剤５を充填し、該陥没部において保存することができる点である。該潤滑油／剤５は該アンダーボード１と該ランニングベルト２間の潤滑媒介となる。相互に隣り合った陥没部の間には、上方へと突出する弧状凸リブ１０を形成し(図３参照)、或いは２個の陥没部の間には平面を形成する(図４参照)ことができる。
【０００９】
この他、該アンダーボード１の上表面は滑らかな鏡面に加工し、該陥没部に充填する潤滑油／剤５に対応し、アンダーボード１とランニングベルト２間の摩擦係数をさらに低下させることができ、これによりランニングベルトに摩損が起きるまでの時間を延長し、その使用寿命を延ばすことができる。該凸リブ１０は走行者の足裏に対してマッサージの保健作用を提供することもできる。
【００１０】
本考案が該アンダーボード１上表面に設置する陥没部は、多種の形式とすることができる。例えば、図５に示すように、該アンダーボード１上表面に複数個の円凹孔１１を敷設し、図６に示すように、該アンダーボード１上表面に複数本の該アンダーボード１の縦長方向に沿って延伸する縦長凹槽１２を設置し、図７に示すように、該アンダーボード１上表面に複数本の該アンダーボード１の横幅方向に沿って延伸する横長凹槽１３を設置し、図８に示すように、該アンダーボード１上表面に複数のある角度に傾斜する傾斜凹槽１４を成型し、図９に示すように、該アンダーボード１上表面に複数のＶ型凹槽１５を成型し、図１０に示すように、該アンダーボード１上表面に複数の交差排列する短凹槽１６を成型することができる。さらには、該凹孔或いは凹槽は他のあらゆる幾何学形状とすることができ、そうであっても潤滑油／剤５を保存する効果には影響を及ぼすことはない。
【図面の簡単な説明】
【００１１】
【図１】一般のランニングマシーン外観形態の立体図である。
【図２】公知ランニングマシーンのアンダーボードとランニングベルト組合せ構造関係の平面概略図である。
【図３】本考案ランニングマシーンのアンダーボード構造の第一実施例で、それとランニングベルトとの組合せ構造関係の平面概略図である。
【図４】本考案ランニングマシーンのアンダーボード構造の第二実施例で、それとランニングベルトとの組合せ構造関係の平面概略図である。
【図５】本考案のアンダーボード上面に設置する陥没部が複数の円形凹孔である実施例の平面概略図である。
【図６】本考案のアンダーボード上面に設置する陥没部が複数の縦長凹槽である実施例の平面概略図である。
【図７】本考案のアンダーボード上面に設置する陥没部が複数の横長凹槽である実施例の平面概略図である。
【図８】本考案のアンダーボード上面に設置する陥没部がある傾斜角度の複数の凹槽である実施例の平面概略図である。
【図９】本考案のアンダーボード上面に設置する陥没部が複数のＶ型凹槽である実施例の平面概略図である。
【図１０】本考案のアンダーボード上面に設置する陥没部が複数の交差排列の短凹槽である実施例の平面概略図である。
【符号の説明】
【００１２】
１  アンダーボード
１０  凸リブ
１１  円凹孔
１２  縦長凹槽
１３  横長凹槽
１４  傾斜凹槽
１５  Ｖ型凹槽
１６  短凹槽
２  ランニングベルト
３  主動ベルトホイール
４  受動ベルトホイール
５  潤滑油／剤
【図１】
0003139509.tif 000003
【図２】
0003139509.tif 000004
【図３】
0003139509.tif 000005
【図４】
0003139509.tif 000006
【図５】
0003139509.tif 000007
【図６】
0003139509.tif 000008
【図７】
0003139509.tif 000009
【図８】
0003139509.tif 000010
【図９】
0003139509.tif 000011
【図１０】
0003139509.tif 000012